(57)【要約】      （修正有）【課題】発射筒の増加に対応でき、正確な間取りで点火玉を発火して煙火を打ち上げ可能で、操作の簡単な煙火点火器用の自動間取機を安価に提供する。【解決手段】煙火点火器用の自動間取機は、操作部２を接続するためのコネクタ７が端子に設けられていて、通電される毎に作動状態と非作動状態が交互に繰り返されるリレーＲ０と、リレーＲ０の作動によって閉じ、非作動によって開く接点ｒ０と、設定時間を調節可能な複数のオン・ディレイタイマーＴ１、Ｔ２、Ｔ３、・・・Ｔｎと、設定時間が経過すると閉じる接点ｔ１、ｔ２、ｔ３、・・・ｔｎと、点火玉Ｆ１、Ｆ２、Ｆ３、・・・Ｆｎへ導電するための出力端子と、を備えている。自動間取機に接続された操作スイッチＳＷ１のＯＮ操作によりリレーＲ０が作動し、オン・ディレイタイマーＴ１、Ｔ２、Ｔ３、・・・Ｔｎが作動し、設定時間後に点火玉Ｆ１、Ｆ２、Ｆ３、・・・Ｆｎへ導電して点火玉を発火できる。【選択図】図１
2007170756.tif 000002
【特許請求の範囲】
【請求項１】
操作部を接続するためのコネクタが端子に設けられていて、通電される毎に作動状態と非作動状態が交互に繰り返されるリレーと、前記リレーの作動によって閉じ、非作動によって開く接点と、設定時間を調節可能な複数のオン・ディレイタイマーと、該オン・ディレイタイマーの設定時間が経過すると閉じる接点と、点火玉へ導線を介して導電するための出力端子と、を備えている自動間取機であって、
前記リレーの作動によって接点が閉じることによりオン・ディレイタイマーが作動し、設定時間後に電源から点火玉へ導電するように構成されていることを特徴とする電気煙火点火器用の自動間取機。
【発明の詳細な説明】
【技術分野】
【０００１】
本発明は、煙火に着火させるための点火玉に導電させて発火させる電気煙火点火器用の自動間取機に関するものである。
【背景技術】
【０００２】
近年、煙火の点火は電気による電気煙火点火器が普及しており、電気煙火点火器は煙火の打ち上げ時の安全性の向上や花火大会の演出に大きく貢献している。
【０００３】
この電気煙火点火器は、一般的に手元にある操作部と発射筒に設置されている点火玉との間がそれぞれ導線で接続されており、操作部の操作スイッチを操作して点火玉に通電して発火させて煙火に点火するものであり、点火玉の数だけ手元の操作部の操作スイッチを必要としている。煙火の打ち上げには、少なくとも数１０本程度の発射筒が用いられる場合が多く、この場合には、手元に設けられた操作部のスイッチと発射筒とを数１０本程度の導線で接続するための配線を行う必要がある。そして、発射筒の位置と操作部である手元の操作スイッチの位置とは相当離れているので、操作部と発射筒との間を数１０本もの長い導線で接続するためには長い導線が必要となるし、操作スイッチの数、分配器の数にも制限があるので、前記した電気煙火点火器は発射筒の多い場合の煙火の点火には不向きである。
【０００４】
そこで、長い導線と多数の操作スイッチを不要とするために、図３に示すようなステッピングリレーを用いた煙火点火器が考えられている（特許文献１）。この煙火点火器は、端子箱２１と点火器２２とで構成されており、操作部である点火器２２と端子箱２１とを導線で接続し、操作員がスイッチＳＷ３を押すと、ステッピングリレーの駆動コイル２５に電流が流れ可動接点２４が隣の固定接点２６に移動すると同時に、スイッチＳＷ４によって点火玉ｆ１に電流が流れて点火玉ｆ１が発火するものである。図３に示す煙火点火器は、煙火に点火する間取り（点火間隔）は操作員がスイッチＳＷ３を押す間隔によって決まるものであり、発射筒の多い点火玉の数が多い場合には大変であった。そこで、多数並設配置した発射筒の上方に一斉着火用の速火導火線を引き回し、この速火導火線から延時導火線を介して発射筒内の打上火薬に着火させるように構成し、延時導火線の長さを変えることにより連続して打ち上げる煙火の間取りを変えることが考えられている（特許文献２）が、延時導火線の長さを変えることによって正確にその間取りを調節することは難しく、また、他の発射筒に延焼するおそれがあり安全性にも問題があった。
【０００５】
そこで、煙火の打ち上げ順位と点火位置データを、エンコーダを介してキーボードにより入力してメモリー回路に記憶し、この記憶したデータをデコーダによりデコードして点火位置に応じた点火出力端子を含む点火回路を形成させる、いわゆるコンピュータシステムを利用した製品が出来ている（特許文献３）。しかし、このコンピュータシステムを利用したものは、コンピュータの深い知識を要し取扱いが難しいと共にアドレス信号を処理するエンコーダやデコーダ等が高価であり、コストアップに繋がる。
【０００６】
【特許文献１】特開昭６３−１４８０９９号公報
【特許文献２】特開平９−２７３８９９号公報
【特許文献３】特開平５−２９６６９８号公報
【発明の開示】
【発明が解決しようとする課題】
【０００７】
本発明の目的は、上記問題点を解決するためのものであり、発射筒の増加に対応することができ、しかも、正確な間取りで点火玉に発火して煙火を打ち上げることができ、さらに、誰でもが簡単に操作することのできる電気煙火点火器用の自動間取機を安価に提供することである。
【課題を解決するための手段】
【０００８】
本発明は、操作部を接続するためのコネクタが端子に設けられていて、通電される毎に作動状態と非作動状態が交互に繰り返されるリレーと、前記リレーの作動によって閉じ、非作動によって開く接点と、設定時間を調節可能な複数のオン・ディレイタイマーと、該オン・ディレイタイマーの設定時間が経過すると閉じる接点と、点火玉へ導線を介して導電するための出力端子と、を備えている自動間取機であって、前記リレーの作動によって接点が閉じることによりオン・ディレイタイマーが作動し、設定時間後に電源から点火玉へ導電するように構成したことを特徴とする電気煙火点火器用の自動間取機である。
【０００９】
そして、本発明は、自動間取機に操作部を接続すると共に、自動間取機のコネクタに点火玉からの導線を接続し、操作部の操作スイッチを押すだけでオン・ディレイタイマーで設定した時間間隔で点火玉に導電して点火玉を正確に発火させ、かつ、煙火を連続的にしかも安全に打ち上げることができる。
【発明の効果】
【００１０】
本発明の電気煙火点火器用自動間取機は、リレー、コネクタ、オン・ディレイタイマー等で構成されており、高価な構成部材を必要としないため安価に構成でき、また、オン・ディレイタイマーの設定時間を設定して操作スイッチを押すだけでよいので、誰でも簡単に操作することができる。
【００１１】
しかも、本発明の電気煙火点火器用自動間取機は、オン・ディレイタイマーで設定した正確な時間間隔で点火玉に導電して点火玉を発火させることができ、かつ、導火線を用いていないため安全に煙火に着火させることができる。
【発明を実施するための最良の形態】
【００１２】
図１は、本発明の１実施の形態を示す模式図であり、これに基づいて本発明を説明する。
本発明の自動間取機１は、煙火の点火器である点火玉に導電して点火玉を所定時間間隔で発火させるものであり、電源入力端子６によって電源Ｅの分配器５に接続できるように構成されている。ＳＷは自動間取機１の電源を入り切りする電源スイッチであり、この電源スイッチＳＷをＯＮすることにより、自動間取機１が作動可能になる。
【００１３】
Ｒ０はリレーであり、その端子にはコネクタ７が設けられており、導線４によって操作部２と接続可能に構成されており、リレーＲ０は通電される毎に作動（励磁）状態と非作動（非励磁）状態が交互に繰り返されるように構成されている。したがって、コネクタ７に接続されている操作部２の操作スイッチＳＷ１が押し操作されるとリレーＲ０が作動状態となり、操作スイッチＳＷ１が再度押し操作されるとリレーＲ０が非作動となる。操作スイッチＳＷ１は、押し操作することにより通電状態となるものであれば、従来使われている操作スイッチで良い。
【００１４】
ｒ０はリレーＲ０の接点であり、リレーＲ０が作動することにより接点ｒ０は閉じ、リレーＲ０が非作動となると接点ｒ０が開くように構成されている。自動間取機１を作動した後で危険が生じた場合に、操作スイッチＳＷ１を再度押すとリレーＲ０が非作動となり、接点ｒ０が開くので、自動間取機１の作動を止めることができる。
【００１５】
Ｔ１、Ｔ２、Ｔ３、・・・Ｔｎは、電圧が加えられてから設定時間が経過すると接点を閉じるオン・ディレイタイマーであり、オン・ディレイタイマーＴ１、Ｔ２、Ｔ３、・・・Ｔｎは、設定時間を調節することができるものである。オン・ディレイタイマーＴ１、Ｔ２、Ｔ３、・・・Ｔｎは設定時間を調節できるものであればどのようなオン・ディレイタイマーでもよく、コンデンサーの容量を可変とすることによりその設定時間を調節することができるコンデンサー型のオン・ディレイタイマーでもよい。ｔ１、ｔ２、ｔ３・・・ｔｎは、オン・ディレイタイマーＴ１、Ｔ２、Ｔ３・・・Ｔｎが設定時間経過し作動すると閉じる接点である。
【００１６】
Ｒ１、Ｒ２、Ｒ３、・・・Ｒｎはリレーであり、それぞれの接点ｔ１、ｔ２、ｔ３・・・ｔｎが閉じることにより作動し、リレーＲ１、Ｒ２、Ｒ３、・・・Ｒｎが作動することにより接点ｒ１、ｒ２、ｒ３、・・・ｒｎが閉じる。接点ｒ１、ｒ２、ｒ３、・・・ｒｎの端部にはコネクタｃ１、ｃ２、ｃ３、・・・ｃｎが設けられている。
【００１７】
Ｆ１、Ｆ２、Ｆ３・・・Ｆｎは点火玉であり、発射筒に設置されており、導電することにより発火して煙火に着火させる。点火玉Ｆ１、Ｆ２、Ｆ３・・・Ｆｎの端子は導線によって自動間取機１の接点ｒ１、ｒ２、ｒ３、・・・ｒｎのコネクタｃ１、ｃ２、ｃ３、・・・ｃｎに接続される。
【００１８】
Ｅは電源であり、分配器５が設けられており、複数の自動間取機１を接続可能に構成されている。
【００１９】
次に、本発明の自動間取機１の作動について説明する。
自動間取機１と電源Ｅとを発射筒の近傍に設置して、自動間取機１の電源入力端子６に電源Ｅを接続するとともに、自動間取機１のコネクタ７に導線４を介して操作部２の分配器３とを接続する。また、自動間取機１のコネクタｃ１、ｃ２、ｃ３、・・・ｃｎに点火玉Ｆ１、Ｆ２、Ｆ３・・・Ｆｎの導線を接続する。
【００２０】
そして、操作員が操作部２の操作スイッチＳＷ１を押し操作してＯＮにすると、リレーＲ０が作動し、自動間取機１の接点ｒ０が閉じる。操作員が操作部２の操作スイッチＳＷ１を再度押し操作すると、リレーＲ０の作動が解除されて非作動となるので、点火玉の発火を中止して煙火への着火を停止できる。
【００２１】
接点ｒ０が閉じると、電源Ｅによりオン・ディレイタイマーＴ１が作動し始める。オン・ディレイタイマーＴ１に設定した時間が経過すると、オン・ディレイタイマーＴ１が作動して接点ｔ１が閉じる。このときオン・ディレイタイマーＴ２が作動し始める。接点ｔ１が閉じると、リレーＲ１が作動するので、接点ｒ１が閉じ、点火玉Ｆ１に電気が流れる。点火玉Ｆ１に通電されると、点火玉Ｆ１が発火して発射筒に設けられている発射火薬に着火して発射筒から煙火が打ち上げられる。さらに、オン・ディレイタイマーＴ２の設定時間が経過すると、オン・ディレイタイマーＴ２が作動して接点ｔ２が閉じてリレーＲ２が作動して接点ｒ２を閉じる。このように、オン・ディレイタイマーＴ１、Ｔ２、Ｔ３・・・Ｔｎが設定した時間毎に順次作動して、点火玉Ｆ１、Ｆ２、Ｆ３・・・Ｆｎが発火し、煙火を設定した時間間隔で順次打ち上げることができる。
【００２２】
図２は、自動間取機１の他の実施の形態を示すものであり、電源Ｅが自動間取機１に設けられており、また、リレーＲ０が作動し、自動間取機１の接点ｒ０が閉じると、電源Ｅによりオン・ディレイタイマーＴ１、Ｔ２、Ｔ３・・・Ｔｎが一斉に作動し始めるようにオン・ディレイタイマーＴ１、Ｔ２、Ｔ３・・・Ｔｎが設けられている点で図１のものと異なっているが、その他は図１のものと同じである。
【図面の簡単な説明】
【００２３】
【図１】本発明の実施の形態を示す模式図。
【図２】本発明の他の実施の形態を示す模式図。
【図３】従来の煙火点火器を示す概略図。
【符号の説明】
【００２４】
１  自動間取機、２  操作部、３  分配器、４  導線、６  電源入力端子、７  コネクタ、Ｅ  電源、Ｒ０、Ｒ１、Ｒ２、Ｒ３、・・・Ｒｎ  リレー、ｒ０、ｒ１、ｒ２、ｒ３、・・・ｒｎ  接点、Ｔ１、Ｔ２、Ｔ３、・・・Ｔｎ  オン・ディレイタイマー、ｔ１、ｔ２、ｔ３、・・・ｔｎ  接点、Ｆ１、Ｆ２、Ｆ３、・・・Ｆｎ  点火玉、ＳＷ  電源スイッチ、ＳＷ１  操作スイッチ
【図１】
2007170756.tif 000003
【図２】
2007170756.tif 000004
【図３】
2007170756.tif 000005